(57)【特許請求の範囲】
【請求項１】
傷病者情報を管理する傷病者選別票（以下、トリアージタグという）に電子ペン専用ドットパターンが印刷され、筆記具に電子ペンを使用する傷病者管理システムであって、
前記トリアージタグの種類に対応する電子ペン専用ドットパターンが印刷されたトリアージタグと、
前記トリアージタグ上のドットパターンから記録情報を取得する電子ペンと、
前記電子ペンと通信可能であり、前記電子ペンから受信した電子ペン識別情報を付与した前記記録情報を電子ペンシステム管理サーバに送信する通信端末と、
ネットワーク上に設けられ、受信した前記電子ペン識別情報を付与した記録情報をテキスト情報に変換する電子ペンシステム管理サーバと、
ネットワーク上に設けられ、傷病者情報を収集、管理するトリアージタグ情報サーバと、
を備え、
前記トリアージタグ情報サーバは、
傷病者毎に装着されるトリアージタグに対応づけられる傷病者情報と、前記電子ペンの電子ペン識別情報と、当該電子ペンに対応づけられた前記通信端末のメールアドレスからなる電子ペン・メールアドレステーブルと、を記憶、管理するデータベースと、
ネットワークを介して受信された、前記電子ペン識別情報を付与した記録情報が変換されたテキスト情報に基づいて前記傷病者情報を作成し、前記データベースに登録、記憶する登録手段と、
前記登録手段により前記傷病者情報が正常に前記データベースに登録されると、前記電子ペン・メールアドレステーブルを参照し、前記傷病者情報に対応する電子ペン識別情報に対応するメールアドレスを読み出し、前記メールアドレスに対応する前記通信端末に登録完了通知を送信する通知手段と、
を具備することを特徴とするトリアージタグ使用による傷病者管理システム。
【請求項２】
前記通信端末は、携帯電話であることを特徴とする請求項１記載によるトリアージタグ使用による傷病者管理システム。
【請求項３】
トリアージタグの種類に対応する電子ペン専用ドットパターンが印刷されたトリアージタグから記録情報を取得する電子ペンと通信可能で、前記電子ペンから受信した電子ペン識別情報を付与した記録情報を送信する通信端末と、前記通信端末から受信した前記電子ペン識別情報を付与した記録情報をテキスト情報に変換する電子ペンシステム管理サーバと、ネットワークを介して接続され、傷病者情報を収集、管理するトリアージタグ情報サーバであって、
傷病者毎に装着されるトリアージタグに対応づけられる傷病者情報と、前記電子ペンの電子ペン識別情報と、当該電子ペンに対応づけられた前記通信端末のメールアドレスからなる電子ペン・メールアドレステーブルと、を記憶、管理するデータベースと、
ネットワークを介して受信された、前記電子ペン識別情報を付与した記録情報が変換されたテキスト情報に基づいて前記傷病者情報を作成し、前記データベースに登録、記憶する登録手段と、
前記登録手段により前記傷病者情報が正常に前記データベースに登録されると、前記電子ペン・メールアドレステーブルを参照し、前記傷病者情報に対応する電子ペン識別情報に対応するメールアドレスを読み出し、前記メールアドレスに対応する前記通信端末に登録完了通知を送信する通知手段と、
を具備することを特徴とするトリアージタグ情報サーバ。
【請求項４】
コンピュータを請求項３記載のトリアージタグ情報サーバとして機能させるプログラム。
【請求項５】
コンピュータを請求項３記載のトリアージタグ情報サーバとして機能させるプログラムを記録した記録媒体。
【発明の詳細な説明】
【技術分野】
【０００１】
本発明は、傷病者選別票（以下、トリアージタグという。）使用による傷病者管理システムに係り、特に、電子ペンと、電子ペン専用ドットパターンが印刷されたトリアージタグ使用による傷病者管理システムに関する。
【背景技術】
【０００２】
近年、地震，台風，テロ等による大規模災害時の対応システムにトリアージタグと呼ばれる治療優先度を示す標識タグが用いられている。
トリアージタグは、タグに傷病者の個人情報や病状を記録し、さらに、治療の優先度を色でランク付けした標識タグを貼付して紐などで傷病者に装着し、傷病者の治療の緊急度が判るようにしたものである。
【０００３】
大規模災害等では広い範囲で傷病者が発生し、しかも、緊急度が高い傷病者がどこに存在するか正確に把握できないために有効な治療を受けられずに命を失う傷病者が多い。
また、災害現場では、夜間にも治療活動を行わなければならないが、上記のような標識タグでは、夜間の暗がりの中では治療の優先度を認識できないという不便さがある。
【０００４】
そこで、リアルタイムで災害現場の状況が把握でき、災害時に、電子ペンとトリアージタグを用意するだけでインフラとしての通信手段が利用でき、突然の災害に対して早期の対応が可能となるトリアージタグ使用による傷病者管理システムが提供されている（例えば、特許文献１参照）。この傷病者管理システムは、トリアージタグの種類に対応する電子ペン専用ドットパターンが印刷されたトリアージタグと、トリアージタグ上のドットパターンから記録情報を取得する電子ペンと、電子ペンと接続される通信端末と、電子ペンシステム管理サーバと、電子ペンにより取得した記録情報に基づき傷病者情報を収集するトリアージタグ情報サーバとからなり、トリアージタグ使用による傷病者情報を管理している。
【０００５】
【特許文献１】特開２００７−１７２０１０号公報
【発明の開示】
【発明が解決しようとする課題】
【０００６】
前述の特許文献１のトリアージタグ使用による傷病者管理システムでは、電子ペンでトリアージタグに記入した記録情報をトリアージタグ情報サーバへ送信するにあたり、電子ペンは、データ送信が完了すると電子ペン本体が振動し、データが正常に送信したことを通知する機能を有している。しかしながら、大災害のような混乱した状況下では、電子ペンの振動を確認することは困難であり、また、パーソナルコンピュータや携帯電話でサーバへアクセスして登録状況を確認することも困難であり、データの送信が正常に完了したことを容易かつより確実に確認できる方法が必要であった。
【０００７】
本発明は、このような問題に鑑みてなされたもので、その目的とするところは、電子ペンからのデータ送信完了を容易、かつより確実に確認可能とするトリアージタグ使用による傷病者管理システム等を提供することにある。
【課題を解決するための手段】
【０００８】
前述した課題を解決するために第１の発明は、傷病者情報を管理する傷病者選別票（以下、トリアージタグという）に電子ペン専用ドットパターンが印刷され、筆記具に電子ペンを使用する傷病者管理システムであって、前記トリアージタグの種類に対応する電子ペン専用ドットパターンが印刷されたトリアージタグと、前記トリアージタグ上のドットパターンから記録情報を取得する電子ペンと、前記電子ペンと通信可能であり、前記電子ペンから受信した電子ペン識別情報を付与した前記記録情報を電子ペンシステム管理サーバに送信する通信端末と、ネットワーク上に設けられ、受信した前記電子ペン識別情報を付与した記録情報をテキスト情報に変換する電子ペンシステム管理サーバと、ネットワーク上に設けられ、傷病者情報を収集、管理するトリアージタグ情報サーバと、を備え、前記トリアージタグ情報サーバは、傷病者毎に装着されるトリアージタグに対応づけられる傷病者情報と、前記電子ペンの電子ペン識別情報と、当該電子ペンに対応づけられた前記通信端末のメールアドレスからなる電子ペン・メールアドレステーブルと、を記憶、管理するデータベースと、ネットワークを介して受信された、前記電子ペン識別情報を付与した記録情報が変換されたテキスト情報に基づいて前記傷病者情報を作成し、前記データベースに登録、記憶する登録手段と、前記登録手段により前記傷病者情報が正常に前記データベースに登録されると、前記電子ペン・メールアドレステーブルを参照し、前記傷病者情報に対応する電子ペン識別情報に対応するメールアドレスを読み出し、前記メールアドレスに対応する前記通信端末に登録完了通知を送信する通知手段と、を具備することを特徴とするトリアージタグ使用による傷病者管理システムである。
【０００９】
「電子ペン」（「デジタルペン」とも称す）は、ペン型入力装置であり、本発明では、スウェーデン国の「Ａｎｏｔｏ社」で開発されたアノトペンの例で説明する。電子ペンは、インクカートリッジを伴った筆記部，ドットパターンを読み取るデジタルカメラによる撮像部、通信端末に座標情報を送信する通信部と、を有し、撮像部で読み取られた筆記情報（ストロークの座標情報）を近くの携帯電話などの通信端末に送信する。
「トリアージタグ（傷病者選別票）」は、電子ペン専用ドットパターンが印刷されており、本発明では、アノトペン専用ドットパターンが印刷されたトリアージタグの例で説明する。
【００１０】
第１の発明のトリアージタグ使用による傷病者管理システムにより、大災害時のような混乱した状況下でも、トリアージタグに記入したデータのサーバへの送信、登録が正常に完了したことを容易かつ確実に確認可能になり、災害時に早期に精度の高い傷病者情報のデータベースが構築され、リアルタイムで災害現場の状況が把握できる。
【００１１】
また、第２の発明は、トリアージタグの種類に対応する電子ペン専用ドットパターンが印刷されたトリアージタグから記録情報を取得する電子ペンと通信可能で、前記電子ペンから受信した電子ペン識別情報を付与した記録情報を送信する通信端末と、前記通信端末から受信した前記電子ペン識別情報を付与した記録情報をテキスト情報に変換する電子ペンシステム管理サーバと、ネットワークを介して接続され、傷病者情報を収集、管理するトリアージタグ情報サーバであって、傷病者毎に装着されるトリアージタグに対応づけられる傷病者情報と、前記電子ペンの電子ペン識別情報と、当該電子ペンに対応づけられた前記通信端末のメールアドレスからなる電子ペン・メールアドレステーブルと、を記憶、管理するデータベースと、ネットワークを介して受信された、前記電子ペン識別情報を付与した記録情報が変換されたテキスト情報に基づいて前記傷病者情報を作成し、前記データベースに登録、記憶する登録手段と、前記登録手段により前記傷病者情報が正常に前記データベースに登録されると、前記電子ペン・メールアドレステーブルを参照し、前記傷病者情報に対応する電子ペン識別情報に対応するメールアドレスを読み出し、前記メールアドレスに対応する前記通信端末に登録完了通知を送信する通知手段と、を具備することを特徴とするトリアージタグ情報サーバである。
【００１２】
第２の発明は、第１の発明のトリアージタグ使用による傷病者管理システムのトリアージタグ情報サーバに関する発明である。
【００１３】
第３の発明は、コンピュータを第２の発明のトリアージタグ情報サーバとして機能させるプログラムである。
第４の発明は、コンピュータを第２の発明のトリアージタグ情報サーバとして機能させるプログラムを記録した記録媒体である。
【００１４】
上述のプログラムをＣＤ−ＲＯＭ等の記録媒体に保持させて流通させてもよいし、このプログラムを通信回線を介して送受することもできる。
【発明の効果】
【００１５】
本発明は、電子ペンからのデータ送信完了を容易かつより確実に確認可能とする、トリアージタグ使用による傷病者管理システム等を提供することができる。
【発明を実施するための最良の形態】
【００１６】
以下に、添付図面を参照しながら、本発明に係るトリアージタグ使用による傷病者管理システム等の好適な実施形態について詳細に説明する。なお、以下の説明および添付図面において、略同一の機能構成を有する構成要素については、同一の符号を付することにより重複説明を省略することにする。
【００１７】
図１は、本発明の本実施の形態に係るトリアージタグ使用による傷病者管理システム１００の概略構成を示す図である。
【００１８】
図１は、トリアージタグ使用による傷病者管理システム１００の一例であり、図１に示すように、トリアージタグ使用による傷病者管理システム１００は、トリアージタグ２上のドットパターンから記録情報を取得する電子ペン１、通信端末３、電子ペンシステム管理サーバ４、トリアージタグ情報サーバ５が、ネットワーク９を介して接続されて構成される。尚、トリアージタグ使用による傷病者管理システム１００は、ＷＷＷ（Ｗｏｒｌｄ  Ｗｉｄｅ  Ｗｅｂ）技術を用いて実現した場合の構成図である。
【００１９】
ネットワーク９は、インターネット、ローカルエリアネットワーク（ＬＡＮ）等のネットワークであり、有線、無線を問わない。
【００２０】
電子ペン１は、トリアージタグの種類に対応する電子ペン専用ドットパターンが印刷されたトリアージタグ２に傷病情報を記載し、トリアージタグ２に印刷されたドットパターンを赤外線で読み取って、記載した情報の座標情報に自身の電子ペン識別情報（以下、電子ペンコードと称す）を付与して通信端末３に送信する。
通信端末３は、携帯型端末（Ｐｅｒｓｏｎａｌ  Ｄｉｇｉｔａｌ  Ａｓｓｉｓｔａｎｔ）であり、例えば、携帯電話、小型パソコン等である。通信端末３は、電子ペン１から受信した記録情報と電子ペンコードを電子ペンシステム管理サーバ４に送信する。本発明のトリアージタグ使用による傷病者管理システムでは、一例として、携帯便利で緊急時にも利用可能な通信端末３を携帯電話で説明する。
【００２１】
電子ペンシステム管理サーバ４は、サーバコンピュータ等であり、多くの場合、二つのサーバに分割されており、分割された一方の電子ペンシステム管理サーバ４は、ネットワーク９を介して通信端末３から受信したドットパターン情報の内容に合せて、傷病者情報等の送信先ＵＲＬを通信端末３に送信する。通信端末３は、指示されたＵＲＬ（分割された他方の電子ペンシステム管理サーバ）に傷病者情報（以下、トリアージタグ記載情報と称す）と電子ペンコードとを送信する。
分割された他方の電子ペンシステム管理サーバ４は、受信した上述の電子ペンコードとトリアージタグ記載情報をイメージ画像およびテキストデータ（テキスト情報）に変換して通信端末３に送信し、通信端末３からトリアージタグ情報サーバ５に送信する。
【００２２】
尚、本実施の形態では、テキスト情報に変換した電子ペンコードとトリアージタグ記載情報を、通信端末３を介してトリアージタグ情報サーバ５に送信したが、これに限らず、システムによっては、電子ペンシステム管理サーバ４は、受信した電子ペンコードとトリアージタグ記載情報をイメージ画像およびテキストデータに変換して直接トリアージタグ情報サーバ５に送信してもよい。
【００２３】
トリアージタグ情報サーバ５は、サーバコンピュータ等であり、傷病者情報データベース６等を有し、受信した電子ペンコードとトリアージタグ記載情報を基に傷病者情報を傷病者情報データベース６に登録、保持し、正常に登録すると通信端末３に登録通知を行う。
【００２４】
次に、電子ペン１の構成を説明する。図２は、電子ペン１の構成を示す図である。代表例として、電子ペン１は、スウェーデン国の「Ａｎｏｔｏ社」で開発されたアノトペンの例で説明する。
【００２５】
電子ペン１は、制御部１１、記憶部１２、圧力センサ１３、通信部１４、撮像部１５、ＬＥＤ１６、筆記部１７等から構成される。
【００２６】
制御部１１は、接続された各装置を駆動制御し、電子ペン１が行う後述する各種処理（図１０参照）である、圧力センサ1３から与えられる筆圧データに基づいて、撮像部１５及びＬＥＤ１６及びのスイッチオン／オフの切換を行い、トリアージタグ２に印刷されたドットパターンを撮像部１５で読み取って記憶部１２で記憶し、通信部１４から通信端末３に送信する。
記憶部１２は、撮像部１５で読み取られたドットパターン（座標情報）、自電子ペンの電子ペンコードを記憶する。
圧力センサ１３は、利用者が電子ペン１によりトリアージタグ２上に文字などを書く際にペン先に与えられる圧力、即ち筆圧を検出し、情報の記載が開始されることを制御部１１に伝え、筆圧の強弱を読み分ける。
通信部１４は、Ｂｌｕｅｔｏｏｔｈ対応、またはＵＳＢ（Ｕｎｉｖｅｒｓａｌ Ｓｅｒｉａｌ Ｂｕｓ）対応となっており、電子ペン１と通信端末３間の通信制御を行う。
撮像部１５は、デジタルカメラであり、トリアージタグ２に印刷されているドットパターンを読み取る。ＬＥＤ１６は、撮像部１５による撮像時、トリアージタグ２上のペン先近傍を照明する。
筆記部１７は、インクカートリッジを有し、インクカートリッジ側の先端が圧力センサ１３に接触する構成になっている。筆記部は、単なる筆記具として使用することもできるようになっている。
【００２７】
次に、図３を参照しながら、トリアージタグ２の一例について説明する。図３は、トリアージタグ２の一例を示す図である。
【００２８】
トリアージタグ２（「トリアージタッグ」とも称す）は、傷病者情報などが記載された後、傷病者の足や腕に紐や、輪ゴムなどで装着されるようになっている。また、水に濡れても記載可能な表面状態になっており、さらに、記載された内容が水で消失しないような材質で作製されている。
トリアージタグ２には、傷病者の情報が記載された後、傷病の状態が判別可能なように治療の優先度を識別する標識２４（切取りミシンなどが施された四色の紙片）が貼付されるようになっている。
【００２９】
トリアージタグ２は、傷病者情報記載部２１、チェックボックス２３、その下部に形成された治療の優先度を識別する標識２４とから構成されている。
【００３０】
傷病者情報記載部２１は、傷病者に関する固有情報、収容された医療機関情報、搬送者に関する情報等が記載される第１の記載欄と、トリアージ実施情報、傷病者の状態情報等が記載される第２の記載欄からなる。
【００３１】
第１の記載欄には、トリアージタグの「トリアージタグ番号」、および、傷病者の「氏名」，「年齢」，「性別」，「住所」，「電話」、および、「トリアージ実施月日」，「トリアージ実施者氏名」，「搬送機関名」，「収容医療機関名」等を記載する。
第２の記載欄には、「トリアージ実施場所」、「傷病者の症状・傷病名」、トリアージ区分２２等を記載する。トリアージ区分２２は、後述する標識２４の情報を表し、治療の優先度を識別する情報である。
【００３２】
チェックボックス２３には、傷病者情報記載部２１に傷病者情報等を記載した後、チェックボックス２３にチェックマークを記載し、電子ペン１はトリアージタグ記載情報を通信端末３に送信する。
【００３３】
標識２４は、傷病者情報記載部２１の下側に設けられ、治療の優先度を識別する標識になっている。標識２４は、上から黒色、赤色、黄色、緑色になっている。
緑色は、自力で歩ける状態、軽症群（症状３を表す「III」）、黄色は、骨折などけがをしているが意識ははっきりしている状態、中等症群（症状２を表す「II」）、赤色は、危険な状態、重症群（症状１を表す「Ｉ」）、黒色は、明らかに死の兆候がある状態（症状０を表す「０」）の紙片が連接されている。尚、前述の症状に関する説明文は定められた正確な表現にはなっていない。これら標識２４は、トリアージ区分２２に合わせ、ちぎり取られて傷病者に貼付されるようになっている。
【００３４】
電子ペン１には固有コードである電子ペンコードが付されていて、トリアージタグ記載情報を通信端末３に送信する際にトリアージタグ記載情報に電子ペンコードを貼付して送信する。例えば、電子ペンコードと被災地区コードを関連付けて登録する。「○○町××丁目」には、「Ａ１２３４５６７８９」というコードの電子ペンを登録し、電子ペンの移動を禁止すれば、トリアージタグに記載された「トリアージタグ番号」と「トリアージ区分」に関連付けられて、「○○町××丁目」には、「危険な状態の傷病者（標識：赤色）」が何人存在するかを傷病者情報データベースで把握することができる。また、救急隊は、トリアージタグ番号リストをもとに的確に救援活動を実施することが可能となる。
【００３５】
トリアージタグ２は、最表面の紙片の記載面には電子ペン専用ドットパターンが印刷されていなければならない。
次に、図４に参照しながら、電子ペン専用ドットパターンについて説明する。図４は、電子ペン専用ドットパターンの一例を説明する図であり、図４（ａ）は、ドットパターンを示す図であり、図４（ｂ）は、ドットパターンに対応する情報を示す図である。尚、図４に示すドットパターンは、アノトペン専用ドットパターンの例である。
【００３６】
図４（ａ）には、ドットパターンの各ドットは、０．３ｍｍ間隔で形成された直角に交わる縦横の仮想線の交点近傍に、それぞれ異なる４方向の何れかに配置されている。図４（ｂ）には、図４（ａ）のドットパターンに対応するデータの配列を示す。尚、図４（ａ）では、説明し易くするために縦横の仮想線が表示されているが、実際には印刷されない。また、各ドットは、電子ペン１の撮像部で認識可能な赤外線インキで印刷されている。前述のＡｎｏｔｏ社のシステムでは、３６個のドット（約４ｍｍ2の内側に印刷されたドット群）を１単位情報として扱っている。
【００３７】
電子ペン１で、トリアージタグ２に傷病情報等を記載すると、記載された情報の近傍に印刷されたドットパターンを電子ペンに内蔵された撮像部１５で読み取って、図４(ａ)のドットパターンのデータに基づいて図４（ｂ）に示すデータ配列を取得し、ペン先が置かれた場所の、または、移動した場所の単位情報から座標情報を割り出し、電子ペン１の記憶部１２に記憶する。
【００３８】
次に、図５を参照しながら、通信端末３のハードウェア構成を説明する。図５は、通信端末３のハードウェア構成図である。
【００３９】
通信端末３は、制御部３１、記憶部３２、通信制御部３４、入力部３５、表示部３６、通信部３７等が、システムバス３９を介して少なくとも接続されて構成される。
【００４０】
制御部３１は、システムバス３９を介して接続された各装置を駆動制御し、通信端末３が行う後述する各種処理（図１１参照）を実現する。
記憶部３２には、制御部３１が実行するプログラム、プログラム実行に必要なデータ、ＯＳ（オペレーティングシステム）、電子ペン１から受信したドットパターン（座標情報）、電子ペン識別情報等が格納される。
通信制御部３４は、通信制御装置、通信ポート等を有し、通信端末３とネットワーク９間の通信を媒介する通信インタフェースであり、ネットワーク９を介して、通信端末３と、電子ペンシステム管理サーバ４、トリアージタグ情報サーバ５間の通信制御を行う。
【００４１】
入力部３５は、データの入力を行い、テンキー等の入力装置を有する。入力部３５を介して、通信端末３に対して、操作指示、動作指示、データ入力等を行うことができる。
表示部３６は、液晶パネル等のディスプレイ装置を有する。
通信部３７は、Ｂｌｕｅｔｏｏｔｈ対応、またはＵＳＢ（Ｕｎｉｖｅｒｓａｌ  Ｓｅｒｉａｌ  Ｂｕｓ）対応となっており、通信端末３と電子ペン１間の通信制御を行う。
【００４２】
次に、図６を参照しながら、トリアージタグ情報サーバ５のハードウェア構成を説明する。図６は、トリアージタグ情報サーバ５のハードウェア構成図である。
【００４３】
トリアージタグ情報サーバ５は、制御部５１、記憶部５２、通信制御部５４、入力部５５、表示部５６、印刷部５７等が、システムバス２０９を介して少なくとも接続されて構成される。
【００４４】
制御部５１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成され、ＣＰＵは、システムバス２０９を介して接続された各装置を駆動制御し、トリアージタグ情報サーバ５が行う後述する各種処理（図１０参照）を実現する。
記憶部５２には、ＨＤＤ（ハードディスクドライブ）であり、制御部５１が実行するプログラム、プログラム実行に必要なデータ、ＯＳ（オペレーティングシステム）、傷病者情報データベース等が格納される。プログラムに関しては、ＯＳ（オペレーティングシステム）に相当する制御プログラム６３や、本コンピュータを適用するトリアージタグ情報サーバ５が行う各種データベース管理処理に相当するアプリケーションプログラム６４等が格納されている。
通信制御部５４は、通信制御装置、通信ポート等を有し、トリアージタグ情報サーバ５とネットワーク９間の通信を媒介する通信インタフェースであり、ネットワーク９を介して、トリアージタグ情報サーバ５と、通信端末３、電子ペンシステム管理サーバ４間の通信制御を行う。
【００４５】
入力部５５は、データの入力を行い、例えば、キーボード、マウス等のポインティングデバイス、テンキー等の入力装置を有する。入力部５５を介して、トリアージタグ情報サーバ５に対して、操作指示、動作指示、データ入力等を行うことができる。
表示部５６は、ＣＲＴモニタ、液晶パネル等のディスプレイ装置を有する。
印刷部５７は、プリンタであり、印刷出力処理を行う。
システムバス２０９は、各装置間の制御信号、データ信号等の授受を媒介する経路である。
【００４６】
次に、電子ペンシステム管理サーバ４について説明する。
電子ペンシステム管理サーバ４は、多くの場合、ＰＬＳ（Ｐａｐｅｒ
Ｌｏｏｋ−ｕｐ Ｓｅｒｖｉｃｅ）サーバと、ＡＳＨ（Ａｐｐｌｉｃａｔｉｏｎ Ｓｅｒｖｉｃｅ Ｈａｎｄｌｅｒ）サーバに分けられて設置される。一つのアプリケーションには、同一のドットパターンが存在しないように管理されており、通信端末３から送信されたドットパターンの座標情報は、まず、ＰＬＳサーバに送信される。
【００４７】
ＰＬＳサーバは、受信したドットパターンの座標情報から、使用されているアプリケーションを判別し、そのアプリケーションを支援するＡＳＨサーバのＵＲＬを割り出して、ＡＳＨサーバのＵＲＬを通信端末３（携帯電話）経由で、電子ペンに送信する。
通信端末３（携帯電話）は、電子ペンの指示に従って座標情報を前述のＡＳＨサーバのＵＲＬに送信する。ＡＳＨサーバは、座標情報をイメージ画像およびテキストデータに変換し、通信端末３（携帯電話）に送信する。
【００４８】
尚、システムによっては、ＰＬＳサーバと、ＡＳＨサーバを同一のサーバ内に存在させて使用する場合や、ＰＬＳサーバだけを独立させて使用する場合がある。
【００４９】
次に、図７を参照しながら、トリアージタグ情報サーバ５の記憶部５２が保持する情報について説明する。図７は、記憶部５２が保持する情報を示す図である。
記憶部５２内には、傷病者情報データベース６、制御プログラム６３、アプリケーションプログラム６４等が格納されている。
【００５０】
傷病者情報データベース６は、傷病者情報６１と、ペンコード・メールアドレステーブル６２等を格納する。
傷病者情報６１には、トリアージタグ記載情報を基に、トリアージタグ番号に対応付けられる傷病者に関する各種情報、例えば、傷病者の固有情報、収容された医療機関情報，搬送者に関する情報、トリアージ実施情報，傷病者の状態情報、トリアージ区分等が格納される。
【００５１】
図８は、ペンコード・メールアドレステーブル６２の一態様を示す図である。
図８に示すように、ペンコード・メールアドレステーブル６２は、電子ペンコード７１と、電子ペンコード７１に対応付けられるメールアドレス７２からなる。例えば、電子ペンコード７１「ＡＡＡ−ＢＢＢ−ＣＣＣ−１０」にメールアドレス７２「ａａａ＠ｅｚｗｅｂ．ｎｅ．ｊｐ」が対応付けられており、電子ペンコード７１「ＡＡＡ−ＢＢＢ−ＣＣＣ−１０」の電子ペン１からのトリアージタグ記載情報を登録すると、メールアドレス７２「ａａａ＠ｅｚｗｅｂ．ｎｅ．ｊｐ」の通信端末３に登録完了通知を送信する。
【００５２】
制御プログラム６３は、トリアージタグ情報サーバ５の各構成部分を駆動制御するプログラムであり、ＯＳ（オペレーティングシステム）に相当する。
アプリケーションプログラム６４は、トリアージタグ情報サーバ５が行う後述の処理（図９参照）に相当する実行可能プログラムであり、傷病者情報登録手段１０１、登録通知手段１０２等に該当するプログラムである。
【００５３】
尚、傷病者情報データベース６のデータ構成は、この構成に限られるものではない。例えば、ペンコード・メールアドレステーブル６２を別のデータベースに記憶、管理してもよいし、更に、本実施の形態では、ペンコード・メールアドレス管理テーブル６２を用いたが、例えば、各トリアージ実施者に対する各種情報として、担当区分情報、所有する電子ペンの電子ペンコード、所有するトリアージタグ番号、携帯電話番号、メールアドレス７２、トリアージ実施者名またはトリアージ実施者コード等をトリアージ実施者情報データベース（図示せず）に登録しておき、利用してもよい。
【００５４】
次に、図９、図１０を参照しながら、本発明のトリアージタグ使用による傷病者管理システム１００の傷病者情報の登録処理について説明する。
【００５５】
図９は、トリアージタグ使用による傷病者管理システム１００の機能ブロックと情報登録のデータの流れを示す図である。
図１０は、本発明のトリアージタグ使用による傷病者管理システム１００の傷病者情報の登録処理の動作手順を示すフローチャートである。
【００５６】
予め、準備作業として、電子ペン（電子ペンコード）を被災地の区分（区分コード）毎に割り振る。さらに、トリアージ実施者に対し、担当する区分と各区分に割り当てられた電子ペン１，あらかじめトリアージタグ番号が付与されたトリアージタグ２を必要枚数，さらに、Ｂｌｕｅｔｏｏｔｈ対応の通信端末３（携帯電話）を割り当てる。
担当区分情報、電子ペンコード、トリアージタグ番号、携帯電話番号、トリアージ実施者名、トリアージ実施者コード等はトリアージタグ情報サーバ５の傷病者情報データベース６に登録される。
【００５７】
更に、各トリアージ実施者に割り当てられた電子ペン１の電子ペンコード７１と通信端末３（携帯電話）のメールアドレス７２とをトリアージタグ情報サーバ５のペンコード・メールアドレス管理テーブル６２に登録しておく。
【００５８】
図９、図１０に示すように、災害現場において、電子ペン１、トリアージタグ２、通信端末３（携帯電話）を所有するトリアージ実施者７は、災害現場で傷病者を診断し、トリアージタグ２に電子ペン１を用いてトリアージタグ記載情報を記入し（ステップＳ２０１）、治療の優先度を識別する標識２４を適当な切り取り線で切り取り、当該傷病者につける。
電子ペンの制御部１１は、撮像部１５で読み取ったドットパターンから記入したトリアージタグ記載情報（座標情報）を取得する（ステップＳ２０２）。
電子ペンの制御部１１は、トリアージタグ２のチェックボックス２３にチェックマークを記入することにより、取得した電子ペンコードとトリアージタグ記載情報（座標情報）８１を通信端末３（携帯電話）に送信する（ステップＳ２０３）。
【００５９】
通信端末３の制御部３１は、電子ペン１から受信した電子ペンコードとトリアージタグ記載情報（座標情報）８１を、電子ペンシステム管理サーバ４に送信する（ステップＳ２０４）。
前述したように、電子ペンシステム管理サーバ４（ＰＬＳサーバ）は、ＡＳＨサーバのＵＲＬを、通信端末３を介して電子ペン１に送信する。電子ペンは再度、通信端末３を介して電子ペンコードとトリアージタグ記載情報を電子ペンシステム管理サーバ４（ＡＳＨサーバ）のＵＲＬに送信する。
電子ペンシステム管理サーバ４（ＡＳＨサーバ）は、座標情報・テキストデータ変換手段１０３により、受信した電子ペンコードとトリアージタグ記載情報（座標情報）８１をテキストデータに変換し、通信端末３（携帯電話）に送信する。
【００６０】
通信端末３の制御部３１は、電子ペンコードとトリアージタグ記載情報（テキストデータ）８２を受信する（ステップＳ２０５）。
通信端末３の制御部３１は、電子ペンコードとトリアージタグ記載情報（テキストデータ）８２をトリアージタグ情報サーバ５に送信する（ステップＳ２０６）。
【００６１】
トリアージタグ情報サーバ５の制御部５１は、傷病者情報登録手段１０１により、受信した電子ペンコードとトリアージタグ記載情報（テキストデータ）８２を基に、傷病者情報６１を生成し、傷病者情報データベース６に登録、保持する（ステップＳ２０７）。
正常に登録すると、トリアージタグ情報サーバ５の制御部５１は、登録完了通知手段１０２により、電子ペンコード・メールアドレステーブル６２から、受信した電子ペンコード７１に対応付けられるメールアドレス７２を抽出し（ステップＳ２０８）、抽出した通信端末３のメールアドレス７２宛に、データ登録完了通知８３をメール送信する（ステップＳ２０９）。
通信端末３の制御部３１は、データ登録完了通知８３をメール受信する（ステップＳ２１０）。図９に示すように、データ登録完了通知８３は、電子ペンコードとトリアージタグＮｏ等を表示し、登録を確認する。
【００６２】
以上説明したように、本発明の実施の形態によれば、電子ペン１はトリアージタグ２上のドットパターンからトリアージタグ情報（座標情報）を取得し通信端末３に送信し、通信端末３は電子ペン１から受信したトリアージタグ情報（座標情報）と電子ペン識別情報を電子ペンシステム管理サーバ４によりテキストデータ化したトリアージタグ情報と電子ペンコードをトリアージタグ情報サーバ５に送信する。トリアージタグ情報サーバ５は、電子ペンコードと対応付けられる通信端末３のメールアドレスからなる電子ペンコード・メールアドレステーブル６２を有し、電子ペン１により取得したテキストデータ化したトリアージタグ情報と電子ペンコードに基づいて生成した傷病者情報６１を傷病者情報データベース６に登録し、正常に登録すると、ペンコード・メールアドレステーブル６２に基づき、受信した電子ペンコード７１に対応付けられる通信端末３のメールアドレス７２に登録完了通知を送信する。
【００６３】
これにより、大災害時のような混乱した状況下でも、トリアージタグに記入したデータのサーバへの送信、登録が正常に完了したことを容易かつ確実に確認可能になり、災害時に早期に精度の高い傷病者情報のデータベースが構築され、リアルタイムで災害現場の状況が把握できる。
【００６４】
尚、図１０に示す処理を行うプログラムはＣＤ−ＲＯＭ等の記録媒体に保持させて流通させてもよいし、このプログラムを通信回線を介して送受することもできる。
【００６５】
以上、添付図面を参照しながら、本発明に係るトリアージタグ使用による傷病者管理システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００６６】
【図１】本実施の形態に係るトリアージタグ使用による傷病者管理システム１００の概略構成を示す図
【図２】電子ペン１の構成を示す図
【図３】トリアージタグ２の一例を示す図
【図４】電子ペン専用ドットパターンの一例を説明する図
【図５】通信端末３のハードウェア構成図
【図６】トリアージタグ情報サーバ５のハードウェア構成図
【図７】記憶部５２が保持する情報を示す図
【図８】電子ペンコード・メールアドレステーブル６２の一態様を示す図
【図９】トリアージタグ使用による傷病者管理システム１００の機能ブロックと情報登録のデータの流れを示す図
【図１０】本発明のトリアージタグ使用による傷病者管理システム１００の傷病者情報の登録処理の動作手順を示すフローチャート
【符号の説明】
【００６７】
１００………トリアージタグ使用による傷病者管理システム
１０１………傷病者情報登録手段
１０２………登録通知手段
１０３………座標情報・テキストデータ変換手段
１………電子ペン
２………トリアージタグ
３………通信端末
４………電子ペンシステム管理サーバ
５………トリアージタグ情報サーバ
６………傷病者情報データベース
７………トリアージ実施者
９………ネットワーク
１１、３１、５１………制御部
１２、３２、５２………記憶部
１３………圧力センサ
１４………通信部
１５………撮像部
１６………ＬＥＤ
１７………筆記部
２１………傷病者情報記載部
２２………トリアージ区分
２３………チェックボックス
２４………標識
６１………傷病者情報
６２………ペンコード・メールアドレス管理テーブル
７１………電子ペンコード
７２………メールアドレス
【図１】
0005211726.tif 000002
【図２】
0005211726.tif 000003
【図３】
0005211726.tif 000004
【図４】
0005211726.tif 000005
【図５】
0005211726.tif 000006
【図６】
0005211726.tif 000007
【図７】
0005211726.tif 000008
【図８】
0005211726.tif 000009
【図９】
0005211726.tif 000010
【図１０】
0005211726.tif 000011